(57)【特許請求の範囲】
【請求項１】
映像信号を出力するとともに第１の予告ランプを有した少なくとも２以上の映像信号出力装置と、該映像信号出力装置からの映像信号を入力し、入力された映像信号から一つを選択し本線出力として出力すると共に、選択された映像信号の出所を報知する映像切替え装置と、前記映像信号出力装置に対応して各々の映像信号を入力し映像化するとともに第２の予告ランプを有したモニタ装置とからなる映像切替えシステムであって、
前記映像切替え装置は、前記映像信号出力装置からの少なくとも２以上の映像信号を入力する映像入力手段と、前記映像入力手段へ入力された映像信号から選択された切替え信号を出力する操作手段と、該操作手段の切替え信号によって、入力された映像信号から一つを選択し出力する映像出力手段と、前記操作手段の切替え信号を入力し、選択された映像信号の出所を報知する報知手段とを備え
前記操作手段は、入力された前記映像信号各々に切替えスイッチを設け、該切替えスイッチは３状態を有し、第１の状態で該入力映像信号が本線出力であるもので、第２の状態で該入力映像信号を次に本線出力するもので、第３の状態で該入力映像信号は本線出力でなくかつ次に本線出力しないものであることを表す切替え信号を出力し、 
前記切替えスイッチの第２の状態の時の切替え信号に基づいて、前記第１の予告ランプおよび第２の予告ランプを点灯させることを特徴とする映像切替えシステム。
【請求項２】
前記報知手段は、前記切替えスイッチの状態によって、本線出力であることを表す本線報知信号または次に本線出力になることを表す本線予告報知信号を出力することを特徴とする請求項１記載の映像切替えシステム。
【請求項３】
前記切替えスイッチは、跳ね返りスイッチであることを特徴とする請求項１または２に記載の映像切替えシステム。
【請求項４】
前記モニタ装置は、本線出力を表示する本線モニタと次に本線出力となる予告出力を表示する予告モニタを有することを特徴とする跳ね返りスイッチであることを特徴とする請求項１乃至３のいずれかに記載の映像切替えシステム。
【発明の詳細な説明】
【０００１】
【発明の属する技術分野】
本発明は、放送局のような映像制作に用いられる映像切替え装置に関するものである。
【０００２】
【従来の技術】
近年、衛星放送等によって多チャンネルの映像番組が楽しめるようになり、視聴者には選択の範囲が非常に広まってきている。が、反面そのような映像番組（いわゆるコンテンツ）を大量に制作する制作サイドとしては、制作の効率向上が課題となっており、制作に用いられる装置の中でも、複数の撮影映像を切替える映像切替え装置が非常に注目されている。
【０００３】
以下に従来の映像切替え装置を用いた映像切替えについて、図３に示す模式ブロック図を用いて説明する。
【０００４】
図３において、出演者６ａ〜６ｃの出演者群６をそれぞれ撮影する選択候補群５のうちの３台のカメラ５ａ〜５ｃの映像信号は、それぞれのカメラモニタ４ａ〜４ｃに送られ、映像に変換される。それと共に、各カメラ５ａ〜５ｃの映像信号は、映像切替え装置１にて制作担当者の指示により切替えられ、本映像として本線出力より送出されたり記録される。また、この本映像は本線モニタ４ｘに入力され視聴確認される。映像の切替えとしては、映像切替え装置１の操作卓２にある選択釦２ａ〜２ｃに制作担当者が操作する（押す）ことで、それに応じた選択候補群５からの映像（すなわち選択釦２ｂを押すとカメラ５ｂの映像）が選択され本線出力に送られる。
【０００５】
一般的な生番組等の映像制作の運用においては、制作担当者が、出演者６ａ〜６ｃをそれぞれ撮影するカメラ５ａ〜５ｃの選択候補群５の映像が表示されるモニタ４ａ〜４ｃを確認しながら、番組の進行、あるいは映像制作のシナリオに合わせて本線出力に出力させるカメラ映像を決め、操作卓２の選択釦２ａ〜２ｃを押すことで、映像処理部３が選択する。この際、制作担当者は、モニタ群を注視しなければならないため、通常、操作卓２の選択釦２ａ〜２ｃを視認しない、いわゆるブラインドタッチで操作される。
【０００６】
また、映像処理部３にて切替えられ本線出力された映像がどれかを、各カメラ５ａ〜５ｃを操作しているカメラマン、被写体である出演者、および制作担当者に認知させるため、映像着替え装置１は、各カメラ、モニタにある本線ランプ（ライブ（ｌｉｖｅ）ランプいわゆるタリーランプのこと）４ｑ、５ｑのうち選択釦が押されているカメラ、モニタのものを点灯させている。
【０００７】
【発明が解決しようとする課題】
しかしながら上記の従来の構成では、選択されているものは本線ランプが点灯しているが、次に切り替わって本線出力されるものがどれかを認知することができなかった。そのため、カメラマンが自分の撮影しているカメラの映像が次に選ばれることがわからず、映像選択される前の準備（例えばパン、ズーム等の視野設定、構図設定の準備）をすることができるのか、判断できなかった。従来は、各カメラの撮影担当するカメラマンと操作卓を操作する制作担当者間で音声指示（いわゆるインターカムあるいは略してインカムと称するマイクとヘッドホンを組んだヘッドセットによる）している。しかし、操作卓をブラインドタッチ操作する制作担当者には負担となりやすく、熟練を要する作業であった。また、聞き間違い、言い間違いによる作業ミスも起き易かった。
【０００８】
さらに、インカムを聞くことができない出演者には何の指示を出すこともできない。
【０００９】
本発明は上記従来の問題点を解決するもので、簡単な操作で、映像を選択する前に事前にカメラマンや出演者に予告を与えることができ、確実な制作、番組運用を実現できる映像切替え装置、システム、方法を提供することを目的とする。
【００１０】
【課題を解決するための手段】
この目的を達成するために本発明の映像切替え装置は、映像入力手段へ入力された映像信号から使用者が選択するよう操作でき、それに応じた切替え信号を出力する操作手段と、操作手段の切替え信号によって、入力された映像信号から一つを選択し出力する映像選択手段と、操作手段の切替え信号を入力し、選択された映像信号の出所を報知する報知手段とを備える映像切替え装置で、操作手段は、使用者の操作により映像入力手段へ入力された映像信号から、次に本線出力させるものを使用者が選択操作できることを特徴とする構成を有している。
【００１１】
特に、操作手段は、入力映像信号各々に切替えスイッチを設け、その切替えスイッチは使用者の操作によって３状態になり、第１の状態で該入力映像信号のみが本線出力であるもので、第２の状態で該入力映像信号のみを次に本線出力するもので、第３の状態で該入力映像信号は本線出力でなくかつ次に本線出力しないものであることを表す切替え出力を出すもので、また、報知手段は、操作手段の切替え出力によって、本線出力であることを表す本線報知信号あるいは次に本線出力になることを表す本線予告報知信号を出力するものである。
【００１２】
また、本発明の映像切替えシステムは、少なくとも２つあり、各々映像信号を出力する映像信号出力装置と、映像信号出力装置からの映像信号を入力し、その入力映像信号から使用者が選択するよう操作でき、それに応じて、入力された映像信号から一つを選択し本線出力として出力すると共に、選択された映像信号の出所を報知する映像切替え装置と、映像信号出力装置に対応して各々の映像信号を入力し映像化するモニタ装置とからなる映像切替えシステムであって、映像切替え装置は、使用者の操作により前記映像入力手段へ入力された映像信号から、次に本線出力させるものを使用者が選択操作でき、かつ次に本線出力させる映像入力の出所を報知するものである。
【００１３】
この構成によって、使用者、操作者である制作担当者が、本線出力したい映像入力に対応する操作卓のスイッチを完全に押して第１の状態にすることで、その映像入力が本線出力され、かつその映像入力が本線出力されていることがわかるように、その映像入力の出所元であるカメラおよびその映像入力を映像化しているモニタの各々のライトを点灯させる従来の作用に加えて、制作担当者が次に本線出力させる映像入力のスイッチを半押しの第２の状態にすることで、その映像入力が次に本線出力されることが予告されていることを、その映像入力の出所元であるカメラおよびその映像入力を映像化しているモニタの各々のライトを点灯させることで報知する作用の映像切替え装置が得られる。
【００１４】
これにより、ブラインドタッチでもできる簡単な操作で、次に本線出力させようとする映像の出所先に予告を報知することができ、カメラマンや被写体である出演者に予告を知らせ準備をさせることができる。
【００１５】
【発明の実施の形態】
以下、本発明の実施の形態について、図面を用いて説明する。
【００１６】
（実施の形態１）
図１は本発明の模式ブロック図であり、図１において、２は操作卓で、その選択釦２ａ〜２ｃは２段に押し込むようになっており軽く押されることで１つの回路が閉じ、深く押し込むことでもう一つの回路が閉じるよう構成されているものである（図２を用いて後に詳述する）。３は映像処理部で、操作卓２の選択釦２ａ〜２ｃが軽く押し込まれることでそれに相当する選択候補群５内のカメラ５ａ〜５ｃのうちの一つの映像出力が予告出力に接続され、モニタ群４内の予告モニタ４ｙに出力される。同様に操作卓２の選択釦２ａ〜２ｃが深く押し込まれると、従来の技術で説明したことと同じように、それに相当する選択候補群５内のカメラ５ａ〜５ｃのうちの一つの映像出力が本線出力に接続され（従来の技術同様に、本線出力の映像はそのまま送出されあるいは録画される）、モニタ群４内の本線モニタ４ｘに出力される。
【００１７】
また、従来の技術と同様に、映像処理部にて切替えられ本線出力された映像がどれかを、各カメラ５ａ〜５ｃを操作しているカメラマン、被写体である出演者、および制作担当者に認知させるため、映像切替え装置１は、各カメラ、モニタにある本線ランプ（いわゆるタリーランプのこと）５ｑ、４ｑのうち選択釦が深く押されたカメラ、モニタのものを点灯させていると共に、カメラ、モニタに予告ランプ５ｐ、４ｐを備えて、選択釦が軽く押され予告出力に選択されたものがどれかを予告ランプ５ｐ、４ｐの点灯により認識させることができる。
【００１８】
図２に、操作卓２の選択釦２ａ〜２ｃに用いられる切替えスイッチの一例の構成断面模式図を示す。切替えスイッチ１０はいわゆるモーメンタリースイッチ（跳ね返りスイッチ）で、図２において、１０ｅはつまみで、共通端子１０ａに常時導通している摺電子１０ｄと共に、操作者の押し込み動作によって動く。１０ｂは先端子（さきたんし）、１０ｃは後端子（あとたんし）であって、それぞれ摺電子１０ｄが動くことでこれらと接触し、共通端子１０ａと導通されるものである。操作者が押していない状態（同図（ａ））では、つまみ１０ｅは、ばね（図示せず）等で図の上方向に付勢され、共通端子１０ａと他の先端子、後端子１０ｂ、１０ｃとは導通していない。使用者がつまみ１０ｅを軽く押すと共通端子１０ａと先端子１０ｂとが導通し（同図（ｂ））、同図（ｃ）のように深く押し込まないと後端子１０ｃと共通端子１０ａとが導通しない。操作卓の選択釦の操作者は、前述した様に、モニター群４の画面を注視しながらのブラインド・タッチで選択釦を押すことになるので、押したことを意識させるような押し込み量（いわゆるストローク）を大きく設計したスイッチを用い、いわゆるタッチスイッチのように単に触れた程度で切り替わる事のないようなスイッチを用いる。
【００１９】
すなわち、本実施の形態は、従来の技術で説明したものと比べて、操作卓２に浅く押下した場合に別の信号を出力する選択釦を用い、その信号を用いて映像処理部３では本線出力とは別の予告出力を出してモニタ群４に設けられた予告モニタ４ｙにその画像を表示する点と、同じくその信号を用いて選択候補群５を構成するカメラ５ａ他とそれぞれのカメラの映像が表示されるモニタ群４に配置された各カメラモニタ４ａ他に設けた予告ランプ５ｐ、４ｐを点灯させる点とが異なる。
【００２０】
以上のように構成された映像切替え装置について、図１を用いてその動作を説明する。操作卓２のオペレータは、次に選択しようとする映像の選択釦２ａ〜２ｃを選びそれを軽く押すことで、予告出力が表示される予告モニター４ｙにより映像を事前に確認することができる。また、選択候補群５のカメラ５ａ他の映像が表示されるカメラモニター４ａ他ごとに配置された予告ランプ５ｐ、４ｐの点灯によっても、選択しようとしているカメラを確認することができる。
【００２１】
また、選択候補群５の各カメラ５ａ他を操作するカメラマンや出演者６は、各々のカメラごとに配置された予告ランプ５ｐにより、次に選択されようとしていることがわかる。
【００２２】
なお、上述した実施の形態では、モニタ群４の各モニタ４ａ他、選択候補群５の各カメラ５ａ他に設けた予告ランプ４ｐ、５ｐ、本線ランプ４ｑ、５ｑを点灯させるための指令信号は図示していないが、これは映像切替え装置１から各カメラ、モニタに供給されていても良いし、あるいはいわゆるデジタル双方向の信号授受によりデジタル化された映像信号を送るとともに、そのデジタル映像信号に付加されたビット信号（例えばユーザーズビット）で予告選択あるいは本線選択のビットを立てるようにしても良い。
【００２３】
また、以上の説明では、カメラごとに出演者が割り振られた例で説明したが、各々の出演者はいずれかのカメラの予告ランプの点灯によってもそのカメラに目線を合わせる等の演出もありうるため、どのカメラがどの出演者を撮影するかの条件に関係なく、また、一人の出演者を複数のカメラでアングルを変えて撮影することもあり、どちらにしても、本発明は非常に有効である。
【００２４】
また、映像選択される候補をカメラとしたが、カメラ以外の映像装置、例えばＶＴＲ（あるいは光ディスク装置）等においても、その映像装置の映像が選択される前にその映像装置を再生スタート（あるいはポーズ解除）させることで、再生遅延による停止画像からのスタートあるいは画像乱れ等の不具合を本線に出力させることが起きないという利点がある。
【００２５】
さらに、上述した実施の形態の説明では、２つのランプを備え本線ランプとは別に予告ランプを設定する構成を説明したが、本線ランプ一つのみで構成し、浅く押された予告状態でも本線ランプを点灯させても予告が重要な場合であれば良い。また、１つしか設けていないランプを、予告状態では予告ランプとして点滅させ、本線状態では従来の本線ランプと同様に点灯させるように、場合を分けても良い。さらに、ランプを従来の本線ランプのように赤ランプとはせず、色を変化できるもの（例えば、２色発光ダイオードのアレーや蛍光バックライト付液晶表示パネル（ＬＣＤ）にして、予告状態では黄色、本線状態では赤色としてもよい。加えて、予告状態では、カメラマンのインカムにブザー音を入れる等の予告をすることも可能である。
【００２６】
【発明の効果】
以上のように本発明は、生番組等の失敗が許されない番組制作において、送出あるいは記録する本線出力に出力する前に選択する選択候補やがどれかを、選択候補のカメラマンやオペレータ、出演者、また映像切替え装置を操作する制作担当者に予告することができ、確実な番組・制作運用と確認指示の省力化が可能となり、制作の効率向上という優れた効果が得られる。
【図面の簡単な説明】
【図１】本発明の実施の形態１における模式ブロック図
【図２】同、選択釦の一実施例の断面構造模式図
【図３】従来の映像切替え装置の模式ブロック図
【符号の説明】
１  映像切替え装置
２  操作卓
２ａ，２ｂ，２ｃ  選択釦
３  映像処理部
４  モニター群
４ａ，４ｂ，４ｃ  モニター
４ｐ  予告ランプ（Ｐランプ）
４ｑ  本線ランプ（Ｌランプ）
４ｘ  本線モニター
４ｙ  予告モニター
５  選択候補群
５ａ，５ｂ，５ｃ  カメラ
５ｐ  予告ランプ（Ｐランプ）
５ｑ  本線ランプ（Ｌランプ）
６  出演者
【図１】
0004196053.tif 000002
【図２】
0004196053.tif 000003
【図３】
0004196053.tif 000004